(57)【要約】【課題】マウント非対応機器を載置するための棚板が設置されている場合に、棚板の設置空間からの空調用エアの流失を、低コストかつ簡便に防止することができ、棚板に載置されたマウント非対応機器にも、ブランクパネルの除去やロールスクリーンの引き上げといった特別な動作を要することなく、即座にアクセスすることができる電気電子機器収納用キャビネットを提供すること。【解決手段】電気電子機器が機器取付マウントレール８に取り付けて実装される電気電子機器収納用キャビネットで１あって、該機器取付マウントレール８に取り付け不能な機器を載置する棚板５を、該機器取付マウントレール８に取り付けて備え、筐体内で該棚板５の上方に形成される電気電子機器未実装空間の内、背面および両側面に、空調用エアの流れを遮蔽する通風遮蔽部材７を設けた。【選択図】図３
2015090950.tif 000002
【特許請求の範囲】
【請求項１】
電気電子機器が機器取付マウントレールに取り付けて実装される電気電子機器収納用キャビネットであって、
機器を載置する棚板を、該機器取付マウントレールに取り付けて備え、
筐体内で該棚板の上方に形成される搭載空間の背面および両側面に、空調用エアの流れを遮蔽する通風遮蔽部材を着脱自在に設けた
ことを特徴とする電気電子機器収納用キャビネット。
【請求項２】
前記棚板の上方に形成される搭載空間の上方に、
天井板を該機器取付マウントレールに取り付けて配置した
ことを特徴とする請求項１記載の電気電子機器収納用キャビネット。
【請求項３】
前記通風遮蔽部材が、
該通風遮蔽部材の上下方向長さを調節自在とする高さ調節機構を備える
ことを特徴とする請求項１記載の電気電子機器収納用キャビネット。
【請求項４】
前記通風遮蔽部材が、
棚板または天井板の一方または双方に着脱自在に固定されている
ことを特徴とする請求項２記載の電気電子機器収納用キャビネット。
【発明の詳細な説明】
【技術分野】
【０００１】
本発明は、データセンター等のサーバールームに設置するに適した電気電子機器収納用キャビネットに関するものである。
【背景技術】
【０００２】
データセンター等のサーバールームには、電気電子機器収納用キャビネットが複数列連結配置されており、各キャビネットの内部の機器取付マウントレールに単位サイズの電気電子機器が実装されている。
そしてこれらのキャビネットの内部の温度を最適範囲に維持するために、キャビネットの筺体の前面から空調用エア（冷気）を吸引し、背面から排気する構造が一般的である。
【０００３】
このようなサーバールームでは、各キャビネットに空調用エアを効率的に供給することができるように、キャビネットの前面側同士を向かい合わせて配置し、キャビネット前面間の通路の天井及びその端部を閉塞部材で覆って閉塞空間を形成し、通路床下から通路内に空調用エアを導き、キャビネット内で加熱された空気を、背面側より排出する構造が採用されている（特許文献１）。
【０００４】
ところが、機器取付マウントレールの全長に亘って単位サイズの電気電子機器が実装されているとは限らず、例えば、機器取付マウントレールに取り付けることができないモニタやキーボード等（以下、マウント非対応機器という）を載置するための棚板が設置されている場合がある。キャビネット中で、棚板が設置され、マウント非対応機器が搭載される部分（以下、搭載空間という）ではキャビネットの前面から吸引された空調用エアが、熱交換されることなく、そのまま背面側に逃げてしまい、遮蔽空間内の圧力が低下して空調効率の低下を招くこととなる。
【０００５】
従来から、搭載空間には、筺体の前面側にブランクパネルを取り付けて空調用エアの流失を防止する手法が広く採用されているが、棚板に載置されたモニタの確認やキーボードの操作を行う度に、ブランクパネルの脱着を行わねばならず、これらの作業が煩雑であるという問題があった。
【０００６】
また、筺体の前面側にロールスクリーンを設置して、必要に応じてロールスクリーンを引き出して空調用エアの流失を防止する手法も開示されているが（特許文献２）、機器取付マウントレールの一部にのみ設置される棚板に対して、ロールスクリーンは大掛かりな装置となりコストが嵩むという問題があった。
【先行技術文献】
【特許文献】
【０００７】
【特許文献１】特開２００４−１８４０７０号公報
【特許文献２】特開２０１１−１２９７４８号公報
【発明の概要】
【発明が解決しようとする課題】
【０００８】
本発明は上記した従来の問題点を解決し、マウント非対応機器を載置するための棚板が設置されている場合に、棚板の設置空間からの空調用エアの流失を、低コストかつ簡便に防止することができ、棚板に載置されたマウント非対応機器にも、ブランクパネルの除去やロールスクリーンの引き上げといった特別な動作を要することなく、即座にアクセスすることができる電気電子機器収納用キャビネットを提供することを目的とするものである。
【課題を解決するための手段】
【０００９】
上記課題を解決するためになされた本発明の電気電子機器収納用キャビネットは、電気電子機器が機器取付マウントレールに取り付けて実装される電気電子機器収納用キャビネットであって、機器を載置する棚板を、該機器取付マウントレールに取り付けて備え、
筐体内で該棚板の上方に形成される搭載空間の背面および両側面に、空調用エアの流れを遮蔽する通風遮蔽部材を着脱自在に設けたことを特徴とするものである。
【００１０】
請求項２記載の発明は、請求項１記載の電気電子機器収納用キャビネットにおいて、前記棚板の上方に形成される搭載空間の上方に、天井板を該機器取付マウントレールに取り付けて配置したことを特徴とするものである。
【００１１】
請求項３記載の発明は、請求項１記載の電気電子機器収納用キャビネットにおいて前記通風遮蔽部材が、該通風遮蔽部材の上下方向長さを調節自在とする高さ調節機構を備えることを特徴とするものである。
【００１２】
請求項４記載の発明は、請求項２記載の電気電子機器収納用キャビネットにおいて、前記通風遮蔽部材が、棚板または天井板の一方または双方に着脱自在に固定されていることを特徴とするものである。
【発明の効果】
【００１３】
本発明に係る電気電子機器収納用キャビネットでは、機器取付マウントレールに取り付け不能な機器を載置する棚板を、該機器取付マウントレールに取り付けて備え、筐体内で該棚板の上方に形成される搭載空間の背面および両側面に、空調用エアの流れを遮蔽する通風遮蔽部材を着脱自在に設けているため、棚板の設置空間からの空調用エアの流失を回避し、冷却効率を向上させることができる。
【００１４】
また、棚板の前面は、常時開口させているため、棚板に載置されたモニタの確認やキーボードの操作が必要な際は、従来のように、ブランクパネルの取り外しや、ロールスクリーンの引き上げといった作業を行うことなく、即座に前記機器にアクセスすることができる。さらに、通風遮蔽部材を棚板または天井板に着脱自在に固定したため、機器取付マウントレールに電気電子機器を実装した既存のキャビネットであっても、通風遮蔽部材を取り付けることができる。
【図面の簡単な説明】
【００１５】
【図１】電気電子機器収納用キャビネットが複数列連結配置された状態を示す斜視図である。
【図２】電気電子機器収納用キャビネットの筐体の内部全体に電気電子機器が実装された状態を示す斜視図である。
【図３】本実施形態の電気電子機器収納用キャビネットの筐体内部構造を示す斜視図である。
【図４】本実施形態の要部説明図である。
【図５】棚板の説明図である。
【図６】天井板の説明図である。
【図７】天井板の取り付け構造説明図である。
【図８】通風遮蔽部材の取り付け構造説明図である。
【図９】他の実施形態における通風遮蔽部材の説明図である。
【図１０】他の実施形態における通風遮蔽部材の説明図である。
【発明を実施するための形態】
【００１６】
以下に本発明の好ましい実施形態を示す。
図１は、データセンター等のサーバールームに、電気電子機器収納用キャビネット１が複数列連結配置された状態を示す斜視図であり、ここでは図面を簡素化するために、３×２列の配置が図示されている。
２列の電気電子機器収納用キャビネット１は前面２を向かい合わせにして配置され、それらの間に通路３が形成されている。通路３の床面は格子形状等の通気性の部材によって構成されており、床下から通路３内に冷気が上向きに供給されている。冷気は各電気電子機器収納用キャビネット１の筐体の前面２に形成された通気孔からその内部に吸引され、内部機器を冷却したうえで筐体の背面４に形成された通気孔から排出される。また従来と同様に、キャビネット前面側の間の通路の天井及びその端部を閉塞部材（図示せず）で覆って閉塞空間を形成し、冷却効率を向上させる構造が採用されている。
【００１７】
奥側列の右端の電気電子機器収納用キャビネット１Ａと左端の電気電子機器収納用キャビネット１Ｃは、図２に示すように、筐体の内部全体に機器取付マウントレール８の全長に亘って電気電子機器が実装されているが、中央の電気電子機器収納用キャビネット１Ｂは、図３に示すように、筐体の中央部分に棚板５が設置され、棚板５の上方に形成される搭載空間６の内、背面および両側面に、空調用エアの流れを遮蔽する通風遮蔽部材７が設けられている。棚板５には、機器取付マウントレール８に直接取り付けることができないマウント非対応機器（モニタやキーボード等）が載置される。
【００１８】
本実施形態では、図４に示すように、棚板５の上方に形成される搭載空間６の上方に天井板９を機器取付マウントレール８に取り付けて配置している。棚板５の左右端部および背面側端部に通風遮蔽部材７を着脱自在に固定する構造によって、棚板５の上方に形成されるマウント非対応機器の搭載空間６からキャビネットの側面側あるいは背面側への空調用エアの流失を回避し、冷却効率の向上を図っている。
棚板５と天井板９とは物理的に分離されていて、後述する別個の棚板支持具１０、天井板支持具１１でそれぞれ機器取付マウントレール８に取り付けられている。これにより、棚板５に搭載するマウント非対応機器の高さに対応させて搭載空間６を任意の高さに調節することができる。この場合後述するように、通風遮蔽部材７も上下高さを調節可能として搭載空間６対応可能とする。また、通風遮蔽部材を棚板または天井板の一方または双方に着脱自在に固定したため、機器取付マウントレール８に電気電子機器を実装した既存のキャビネットであっても、通風遮蔽部材を取り付けることができる。なお、棚板５は機器取付マウントレール８に直接取り付けられているものであってもよい。
また、マウント非対応機器の搭載空間６の前面は、常時開口させているため、棚板に載置されたモニタの確認やキーボードの操作が必要な際は、従来のように、ブランクパネルの取り外しや、ロールスクリーンの引き上げといった作業を行うことなく、即座に前記機器にアクセスすることができる。
【００１９】
棚板５は、図５に示す棚板支持具１０を介して機器取付マウントレール８に取り付けられている。棚板支持具１０は、コ字状の棚板５の下面のうち左右側端部を着脱自在に支持している。なお、棚板支持具１０をスライド自在なレール構造とし、棚板５をキャビネットの前面方向に引出自在に支持した場合には、通風遮蔽部材７は棚板支持具１０に固定してもよい。
【００２０】
天井板９は、図３に示すように、天井板支持具１１を介して機器取付マウントレール８に取り付けられている。天井板９は、図６、図７に示すように、天井板支持具１１と取付板１４とで挟み込むように固定している。なお、天井板９は機器取付マウントレール８に直接取り付けられているものであってもよい。
また天井板９は必須の構成ではなく、棚板５の上方に機器取付マウントレール８に取り付けられた電気電子機器が実装されている場合には、前記電気電子機器の下面と棚板５との間を搭載空間とその間に通風遮蔽部材７を配置し、天井板９を省略してもよい。
【００２１】
通風遮蔽部材７は、図８に示すように、断面Ｌ字形状の板材から構成され、短辺部分１２が棚板５の上面に固定され、長辺部分１３の上端側面が天井板支持具１１に固定されている。固定手段は特に限定されず、ねじ止めや、面ファスナ等、任意の手段を採用することができるが、棚板５または天井板９の一方または双方に着脱自在に固定されている。
通風遮蔽部材７の材質も特に限定されないが、透明部材を用いることにより、筐体の背面側から、棚板５に載置したモニタ等の表示を確認を行うことができる。
【００２２】
通風遮蔽部材７は、図９に示すように、上下に２分割して棚板５に搭載するマウント非対応機器の高さに対応する構成することもできる。通風遮蔽部材７の上下方向長さを調節自在とする高さ調節機構として、図９に示すように、一方には上下方向に渡る複数の長孔１５を形成し、他方には丸穴を形成することもできる。当該構造によれば、分割した各部材を上下方向にスライドさせて、棚板−天井板間の間隔調整を行うことができる。通風遮蔽部材７がシート状の部材であれば上下に２分割して、中間部分をジッパーで接続することもできる。
【００２３】
通風遮蔽部材７は、図１０に示すように、前後に２分割して構成することもできる。通風遮蔽部材７の前後方向長さを調節自在とする前後幅調節機構として、図１０に示すように、一方には前後方向に渡る複数の長孔１６を形成し、他方には丸穴を形成することもできる。
当該構造によれば、分割した各部材を前後にスライドさせて、各種棚板５の奥行長さに合わせることができる。棚板自在にも、同様に前後幅調節機構を備えることもできる。なお、棚板５の奥行長さは、電気電子機器の奥行長さと合わせることが好ましい。
【００２４】
その他、通風遮蔽部材７として、可撓性の透明ビニルシートや伸縮自在な蛇腹部材を用い、天井板９に固定して垂下させ、余分な部分は下部を巻き取って保持する構造とすることもできる。また、通風遮蔽部材７として、一枚の可撓性の透明ビニルシートや伸縮自在な蛇腹部材を用い、筐体内で該棚板の上方に形成される搭載空間の右側面、背面、左側面に亘って、カーテン状に覆う構造とすることもできる。
【符号の説明】
【００２５】
１ 電気電子機器収納用キャビネット
２ 前面
３ 通路
４ 背面
５  棚板
６  搭載空間
７  通風遮蔽部材
８  機器取付マウントレール
９  天井板
１０  棚板支持具
１１  天井板支持具
１２  短辺部分
１３  長辺部分
１４  取付板
１５  長孔
１６  長孔
１７  レール溝
【図１】
2015090950.tif 000003
【図２】
2015090950.tif 000004
【図３】
2015090950.tif 000005
【図４】
2015090950.tif 000006
【図５】
2015090950.tif 000007
【図６】
2015090950.tif 000008
【図７】
2015090950.tif 000009
【図８】
2015090950.tif 000010
【図９】
2015090950.tif 000011
【図１０】
2015090950.tif 000012